(57)【要約】【課題】出入口装置構成部材の煩雑な取付け微調整や、容量の大きな原動機の設置を要することなく、戸当りゴム付近に生じる隙間を塞ぐことができる。【解決手段】三方枠に含まれる縦枠１と、出入口を開閉する戸２との間に戸当りゴム４を備えたエレベータの出入口装置において、戸当りゴム４の昇降路側に位置する端面側に、縦枠１の昇降路側に位置する端面１ａに沿う所定の幅寸法を有する補助ゴム５を備え、この補助ゴム５を縦枠１に固定する取付けねじ６を備えた構成にしてある。【選択図】図１
2005179028.tif 000002
【特許請求の範囲】
【請求項１】
三方枠に含まれる縦枠と、出入口を開閉する戸との間に戸当りゴムを備えたエレベータの出入口装置において、上記戸当りゴムの昇降路側に位置する端面側に、上記縦枠の昇降路側に位置する端面に沿う所定の幅寸法を有する補助ゴムを備えたことを特徴とするエレベータの出入口装置。
【請求項２】
上記請求項１記載の発明において、
上記補助ゴムを上記縦枠に固定する固定手段を備えたことを特徴とするエレベータの出入口装置。
【請求項３】
上記請求項２記載の発明において、
上記補助ゴムの上記縦枠に対する固定位置を可変に調整する調整手段を備えたことを特徴とするエレベータの出入口装置。
【請求項４】
上記請求項１記載の発明において、
上記戸当りゴム及び上記補助ゴムを、上記出入口の高さ全域に相当する長さ寸法に設定したことを特徴とするエレベータの出入口装置。
【請求項５】
出入口を開閉する左右の戸の間に戸当りゴムを備えたエレベータの出入口装置において、上記戸当りゴムの昇降路側に位置する端面側に、上記戸の表面に沿う所定の幅寸法を有する補助ゴムを備えたことを特徴とするエレベータの出入口装置。
【請求項６】
上記請求項５記載の発明において、
上記補助ゴムが、上記左右の戸のそれぞれに固定され、戸閉め時に互いに対向する側面が当接するように配置される第１ゴムと第２ゴムとから成ることを特徴とするエレベータの出入口装置。
【請求項７】
上記請求項６記載の発明において、
上記第１ゴムの上記左戸に対する固定位置、及び上記第２ゴムの上記右戸に対する固定位置の少なくとも一方を可変に調整する調整手段を備えたことを特徴とするエレベータの出入口装置。
【請求項８】
上記請求項５記載の発明において、
上記戸当りゴム及び上記補助ゴムを、上記出入口の高さ全域に相当する長さ寸法に設定したことを特徴とするエレベータの出入口装置。
【請求項９】
上記請求項１記載の発明において、
上記戸当りゴムを、上記出入口の高さ方向の任意の一部分に設けたことを特徴とするエレベータの出入口装置。
【請求項１０】
上記請求項５記載の発明において、
上記戸当りゴムを、上記出入口の高さ方向の任意の一部分に設けたことを特徴とするエレベータの出入口装置。
【発明の詳細な説明】
【技術分野】
【０００１】
本発明は、戸閉め時の緩衝用の戸当りゴムを備えたエレベータの出入口装置に関する。
【背景技術】
【０００２】
この種の従来技術として、特許文献１に記載されるものがある。図４は、この特許文献１に記載の従来技術の要部を示した横断面図である。
【０００３】
この従来技術は図４に示すように、三方枠に含まれる縦枠１と、戸閉め時の衝撃を緩和するために戸２の縦枠１側に位置する側面に固定される戸当りゴム３とを備えている。戸当りゴム３は、縦枠１と戸２との隙間とを閉塞することにより、火災等に伴って発生する煙の流れを遮断する遮煙機能も有している。
【０００４】
なお、例えば左右両開きの一対の戸を有するエレベータの出入口装置において、左戸と右戸との間に戸当りゴムを備えたものも従来知られている。
【特許文献１】特開平８−１６５０８１号公報（段落番号００１８〜００２０、図１）
【発明の開示】
【発明が解決しようとする課題】
【０００５】
図５は、図４に示した従来技術における問題点を説明するために模式的に示した正面図である。
【０００６】
出入口装置の据付けに際しては、縦枠１と、戸２とが互いに微妙に位置ずれを生じることがある。これに伴って図５に示すように、例えば縦枠１と、戸２に固定した戸当りゴム３との間に隙間Ｓを生じる場合がある。このような隙間Ｓを生じると遮煙機能が低下する。このために従来技術にあっては、隙間Ｓを無くすための縦枠１、戸２の煩雑な取付け微調整作業を必要としたり、戸２を縦枠１に強く押し付けるように戸２の駆動を制御する手段を備えることが必要であった。
【０００７】
しかし上述のように、出入口装置構成部材の煩雑な取付け微調整作業等を行なう場合には、出入口装置の据付けに多大の時間がかかり、この出入口装置据付け作業の能率が低下する。また、戸２の駆動制御を考慮する場合には、容量の大きな原動機を設置することが必要になり、出入口装置の駆動系に係るコストが高くなる。
【０００８】
本発明は、上述した従来技術における実状からなされたもので、その目的は、出入口装置構成部材の煩雑な取付け微調整や、容量の大きな原動機の設置を要することなく、戸当りゴム付近に生じる隙間を塞ぐことができるエレベータの出入口装置を提供することにある。
【課題を解決するための手段】
【０００９】
上記目的を達成するために、本発明は、三方枠に含まれる縦枠と、出入口を開閉する戸との間に戸当りゴムを備えたエレベータの出入口装置において、上記戸当りゴムの昇降路側に位置する端面側に、上記縦枠の昇降路側に位置する端面に沿う所定の幅寸法を有する補助ゴムを備えたことを特徴としている。
【００１０】
このように構成した本発明は、三方枠に含まれる縦枠と戸とを取付けた際に、縦枠と戸の間に配置した戸当りゴム付近に隙間を生じても、その隙間を補助ゴムによって覆うことができる。すなわち、縦枠あるいは戸の煩雑な取付け微調整作業を要することがなく、また、容量の大きな原動機の設置を要することなく、上述の隙間を補助ゴムによって塞ぐことができる。
【００１１】
また、本発明は上記発明において、上記補助ゴムを上記縦枠に固定する固定手段を備えたことを特徴としている。
【００１２】
また、本発明は上記発明において、上記補助ゴムの上記縦枠に対する固定位置を可変に調整する調整手段を備えたことを特徴としている。
【００１３】
また、本発明は上記発明において、上記戸当りゴム及び上記補助ゴムを、上記出入口の高さ全域に相当する長さ寸法に設定したことを特徴としている。
【００１４】
また、本発明は上記発明において、上記戸当りゴムを、上記出入口の高さ方向の任意の一部分に設けたことを特徴としている。
【００１５】
また、上記目的を達成するために、本発明は、出入口を開閉する左右の戸の間に戸当りゴムを備えたエレベータの出入口装置において、上記戸当りゴムの昇降路側に位置する端面側に、上記戸の表面に沿う所定の幅寸法を有する補助ゴムを備えたことを特徴としている。
【００１６】
このように構成した本発明は、左右の戸を取付けた際に、左右の戸の間に配置した戸当りゴム付近に隙間を生じていても、その隙間を補助ゴムによって覆うことができる。すなわち、左右の戸の煩雑な取付け微調整作業を要することがなく、また、容量の大きな原動機の設置を要することなく、上述の隙間を補助ゴムによって塞ぐことができる。
【００１７】
また、本発明は上記発明において、上記補助ゴムが、上記左右の戸のそれぞれに固定され、戸閉め時に互いに対向する側面が当接するように配置される第１ゴムと第２ゴムとから成ることを特徴としている。
【００１８】
また、本発明は上記発明において、上記第１ゴムの上記左戸に対する固定位置、及び上記第２ゴムの上記右戸に対する固定位置の少なくとも一方を可変に調整する調整手段を備えたことを特徴としている。
【００１９】
また、本発明は上記発明において、上記戸当りゴム及び上記補助ゴムを、上記出入口の高さ全域に相当する長さ寸法に設定したことを特徴としている。
【００２０】
また、本発明は上記発明において、上記戸当りゴムを、上記出入口の高さ方向の任意の一部分に設けたことを特徴としている。
【発明の効果】
【００２１】
本発明は、出入口装置構成部材を取付けた際に、戸当りゴム付近に隙間を生じていても、その隙間を補助ゴムで塞ぐことができ、良好な遮煙機能を確保できる。また、出入口装置構成部材の煩雑な取付け微調整作業を要することがないので、出入口装置据付け作業の能率を向上させることができると共に、容量の大きな原動機の設置を要することがないので、出入口装置の据付けコスト、及び稼動コストを安く抑えることができる。
【発明を実施するための最良の形態】
【００２２】
以下，本発明に係るエレベータの出入口装置を実施するための最良の形態を図に基づいて説明する。
【００２３】
図１は本発明のエレベータの出入口装置の第１実施形態を示す横断面図、図２は本発明の第１実施形態の正面図である。
【００２４】
図１に示すように、三方枠に含まれる縦枠１の昇降路側部分は、昇降路側に位置する端面１ａと、この端面１ａに連設されて乗場方向に延設される戸側面対向部１ｂと、この戸側面対向部１ｂに連設される屈曲部１ｃとを含んでいる。出入口を開閉する戸２の側面と、この側面に対向する縦枠１の戸側面対向部１ｂとの間には、戸２が閉じられる際の衝撃を緩和させる戸当りゴム４を配置してある。この戸当りゴム４は例えば縦枠１の戸側面対向部１ｂに固定してあり、出入口の高さ全域に相当する長さ寸法に設定してある。
【００２５】
この第１実施形態は特に、戸当りゴム４の昇降路側に位置する端面側に、縦枠１の昇降路側に位置する端面１ａに沿う所定の幅寸法を有する補助ゴム５を備えている。この補助ゴム５は、固定手段、例えば取付けねじ６によって縦枠１に固定してある。補助ゴム５も、例えば上述した戸当りゴム４と同様に、出入口の高さ全域に相当する長さ寸法に設定してある。
【００２６】
このように構成した第１実施形態にあっては、例えば図２に示すように、縦枠１と戸２とを取付けた際に、縦枠１に固定した戸当りゴム４と戸２の側面との間に隙間Ｓを生じていても、その隙間Ｓを補助ゴム５によって覆うことができる。
【００２７】
また、この第１実施形態において、出入口全高に設定していた戸当りゴム４に代えて、図６に示すように部分的に取付けられる戸当りゴム４ａを設け、固定手段を構成する取付けねじ６で固定され縦枠１の昇降路側に位置する端面１ａに沿う所定の幅寸法を有する補助ゴム５を備え、この補助ゴム５で隙間を覆うことでも同様な効果が得られる。
【００２８】
このようにすると、戸当りゴム４ａは、緩衝機能のみ有せばよいため、高さ方向の一部分のみに設ける簡易な構造となり、安価なものとなる。また、遮煙機能は、補助ゴム５によって確保できる。
【００２９】
この第１実施形態によれば、上述したように戸当りゴム４部分に隙間Ｓを生じていてもその隙間Ｓを補助ゴム５で塞ぐことができる。したがって、良好な遮煙機能を確保できる。また、縦枠１あるいは戸２の煩雑な取付け微調整作業を要することがないので、出入口装置据付け作業の能率を向上させることができる。さらにまた、特別に容量の大きな原動機によって戸２を駆動する必要がないので、出入口装置の据付けコスト及び稼動コストを安く抑えることができる。
【００３０】
なお、上記第１実施形態において、縦枠１の昇降路側に位置する端面１ａに対する補助ゴム５の固定位置を、可変に調整する調整手段を備えた構成にしてもよい。この調整手段としては例えば、取付けねじ６の軸径よりも十分に大きな穴を縦枠１の端面１ａに形成すると共に、取付けねじにワッシャ、ナットを装着させる構成とすることができる。
【００３１】
図３は本発明の第２実施形態を示す横断面図である。この第２実施形態は、左右両開きの戸を備えた出入口装置であり、左戸７ａの側面７ａ１と右戸７ｂの側面７ｂ１との間に戸当りゴム４を備えている。この戸当りゴム４は例えば、左戸７ａの側面７ａ１に固定され、出入口の高さ全域に相当する長さ寸法に設定してある。
【００３２】
この第２実施形態は特に、戸当りゴム４の昇降路側に位置する端面側に補助ゴムを備えている。この補助ゴムは、例えば左戸７ａに固定手段を構成する取付けねじ６ａで固定され、左戸７ａの表面に沿う所定の幅寸法を有する第１ゴム５ａと、右戸７ｂに固定手段を構成する取付けねじ６ｂで固定され、右戸７ｂの表面に沿う所定の幅寸法を有する第２ゴム５ｂとから成っている。これらの第１ゴム５ａと第２ゴム５ｂとは、戸閉め時に互いの側面が当接するように配置されている。また、これらの第１ゴム５ａ、第２ゴム５ｂも、戸当りゴム４と同様に、出入口の高さ全域に相当する長さ寸法に設定してある。
【００３３】
このように構成した第２実施形態にあっては、左戸７ａと右戸７ｂとを取付けた際に、戸当りゴム４付近に隙間を生じていても、その隙間を第１ゴム５ａと第２ゴム５ｂとによって覆うことができる。
【００３４】
また、この第２実施形態において、出入口全高に設定していた戸当りゴム４に代えて、部分的に取付けられる戸当りゴムを備え、左戸７ａに固定手段を構成する取付けねじ６ａで固定され、左戸７ａの表面に沿う所定の幅寸法を有する第１ゴム５ａと、右戸７ｂに固定手段を構成する取付けねじ６ｂで固定され、右戸７ｂの表面に沿う所定の幅寸法を有する第２ゴム５ｂを備え、これらの第１ゴム５ａ、第２ゴム５ｂで隙間を覆うことでも同様な効果を得られる。
【００３５】
このようにすると、戸当りゴムは、緩衝機能のみ有せばよいため、高さ方向の一部分のみに設ける簡易な構造となり、安価なものとなる。また、遮煙機能は、第１ゴム５ａ、第２ゴム５ｂによって確保できる。
【００３６】
したがって、この第２実施形態でも第１実施形態におけるのと同様に、良好な遮煙機能を確保できる。また、左戸７ａ、右戸７ｂの煩雑な取付け微調整作業を要することがないので、出入口装置据付け作業の能率を向上させることができる。また、特別に容量の大きな原動機によって左戸７ａ、右戸７ｂを駆動する必要がないので、出入口装置の据付けコスト、および稼動コストを安く抑えることができる。
【００３７】
なお、この第２実施形態においても、第１ゴム５ａの左戸７ａに対する固定位置を可変に調整する調整手段、あるいは第２ゴム５ｂの右戸７ｂに対する固定位置を可変に調整する調整手段を備えた構成にしてもよい。
【図面の簡単な説明】
【００３８】
【図１】本発明のエレベータの出入口装置の第１実施形態を示す横断面図である。
【図２】本発明の第１実施形態の正面図である。
【図３】本発明の第２実施形態を示す横断面図である。
【図４】従来のエレベータの出入口装置を示す横断面図である。
【図５】図４に示した従来技術における問題点を説明するために模式的に示した正面図である。
【図６】本発明の第１実施形態を示す図で、一部分を取外した状態を示す正面図である。
【符号の説明】
【００３９】
１    縦枠
１ａ  端面
１ｂ  戸側面対向部
１ｃ  屈曲部
２    戸
４    戸当りゴム
４ａ  戸当りゴム
５    補助ゴム
５ａ  第１ゴム（補助ゴム）
５ｂ  第２ゴム（補助ゴム）
６    取付けねじ（固定手段）
６ａ  取付けねじ（固定手段）
６ｂ  取付けねじ（固定手段）
７ａ    左戸
７ａ１  側面
７ｂ    右戸
７ｂ１  側面
Ｓ      隙間
【図１】
2005179028.tif 000003
【図２】
2005179028.tif 000004
【図３】
2005179028.tif 000005
【図４】
2005179028.tif 000006
【図５】
2005179028.tif 000007
【図６】
2005179028.tif 000008